(57)【要約】【課題】機器の小型化及び画像閲覧性向上を両立させつつ電力消費を抑制する。【解決手段】表示装置１３０は、表示装置１３０の背面においてカメラボディ１１２に保持され、第３パネル１０５の第２面が、カメラボディ１１２に保持される保持部（保持位置）となる。表示装置１３０は、互いに隣接する平面部（第１平面部１０４ａ、第２平面部１０４ｃ、第３平面部１０４ｅ）の表示面同士が成す角度が可変に構成され、展開状態、途中状態、収納状態をとり得る。そしてＣＰＵ２１は、途中状態では、保持部から最も遠い平面部（第１平面部１０４ａ）に画像を表示させると共に、それ以外の平面部の少なくとも１つには画像を表示させない。【選択図】図７
2020016693.tif 000002
【特許請求の範囲】
【請求項１】
筐体と、
各々が独立して画像を表示可能な複数の表示部を備え、保持位置において前記筐体に保持された表示装置と、
前記表示装置の表示を制御する制御手段と、を有し、
前記表示装置において、互いに隣接する前記表示部の表示面同士が成す角度が可変に構成され、
前記複数の表示部は、前記保持位置から最も遠い第１の表示部と、前記保持位置において前記筐体に保持された表示部を含む少なくとも１つの第２の表示部とを含み、
前記表示装置がとり得る状態として、互いに隣接する前記表示部の表示面同士が成す角度の全てが第１の角度より大きい第１状態と、互いに隣接する前記表示部の表示面同士が成す角度の全てが、前記第１の角度より小さい第２の角度より小さい第２状態と、前記第１状態または前記第２状態のいずれでもない第３状態とがあり、
前記制御手段は、前記第３状態においては、前記第１の表示部に画像を表示させると共に、前記第２の表示部の少なくとも１つには画像を表示させないことを特徴とする電子機器。
【請求項２】
前記制御手段は、前記第１状態においては、前記筐体に保持された表示部に画像を表示させると共に、それ以外の表示部に画像を表示させないことを特徴とする請求項１に記載の電子機器。
【請求項３】
前記第２状態で且つ、前記筐体に保持された表示部の表示面の法線方向における当該表示面の正面視において、前記第１の表示部の表示面が視認可能である場合は、前記制御手段は、前記第１の表示部に画像を表示させると共に、前記第２の表示部のいずれにも画像を表示させないことを特徴とする請求項１または２に記載の電子機器。
【請求項４】
前記第２状態で且つ、前記筐体に保持された表示部の表示面の法線方向における当該表示面の正面視において、前記第１の表示部の表示面が視認可能でない場合は、前記制御手段は、前記複数の表示部のいずれにも画像を表示させないことを特徴とする請求項１または２に記載の電子機器。
【請求項５】
前記制御手段は、前記第３状態であっても、前記複数の表示部において隣接する表示部の組のうち、表示面同士が成す角度が第３の角度より大きくなる組がある場合は、当該組を構成する表示部に画像を表示させることを特徴とする請求項１乃至４のいずれか１項に記載の電子機器。
【請求項６】
前記制御手段は、前記第３状態であっても、前記筐体に保持された表示部の表示面と前記筐体に保持された表示部に隣接する表示部の表示面とが成す角度が第４の角度より大きい場合は、さらに、前記筐体に保持された表示部にも画像を表示させることを特徴とする請求項１乃至４のいずれか１項に記載の電子機器。
【請求項７】
前記制御手段は、前記第１、第２、第３状態のいずれの状態であっても、ユーザからの指示が入力された場合は、前記指示に基づいて前記複数の表示部の表示を制御することを特徴とする請求項１乃至６のいずれか１項に記載の電子機器。
【請求項８】
前記表示装置において、隣接する前記表示部は互いに相対的に回動可能に連結されていることを特徴とする請求項１乃至７のいずれか１項に記載の電子機器。
【請求項９】
互いに隣接する前記表示部の表示面同士の成す角度を検出する検出手段を有することを特徴とする請求項１乃至８のいずれか１項に記載の電子機器。
【請求項１０】
前記筐体は、被写体を撮像する撮像部を有することを特徴とする請求項１乃至９のいずれか１項に記載の電子機器。
【請求項１１】
前記筐体に保持された表示部の表示面の法線方向は、前記撮像部の撮像光軸と略平行であることを特徴とする請求項１０に記載の電子機器。
【請求項１２】
筐体と、各々が独立して画像を表示可能な複数の表示部を備え、保持位置において前記筐体に保持された表示装置と、を有する電子機器の制御方法であって、
前記表示装置において、互いに隣接する前記表示部の表示面同士が成す角度が可変に構成され、
前記複数の表示部は、前記保持位置から最も遠い第１の表示部と、前記保持位置において前記筐体に保持された表示部を含む少なくとも１つの第２の表示部とを含み、
前記表示装置がとり得る状態として、互いに隣接する前記表示部の表示面同士が成す角度の全てが第１の角度より大きい第１状態と、互いに隣接する前記表示部の表示面同士が成す角度の全てが、前記第１の角度より小さい第２の角度より小さい第２状態と、前記第１状態または前記第２状態のいずれでもない第３状態とがあり、
前記第３状態においては、前記第１の表示部に画像を表示させると共に、前記第２の表示部のいずれにも画像を表示させないよう制御することを特徴とする電子機器の制御方法。
【請求項１３】
筐体と、各々が独立して画像を表示可能な複数の表示部を備え、保持位置において前記筐体に保持された表示装置と、を有する電子機器の制御方法を、コンピュータに実行させるプログラムであって、
前記表示装置において、互いに隣接する前記表示部の表示面同士が成す角度が可変に構成され、
前記複数の表示部は、前記保持位置から最も遠い第１の表示部と、前記保持位置において前記筐体に保持された表示部を含む少なくとも１つの第２の表示部とを含み、
前記表示装置がとり得る状態として、互いに隣接する前記表示部の表示面同士が成す角度の全てが第１の角度より大きい第１状態と、互いに隣接する前記表示部の表示面同士が成す角度の全てが、前記第１の角度より小さい第２の角度より小さい第２状態と、前記第１状態または前記第２状態のいずれでもない第３状態とがあり、
前記第３状態においては、前記第１の表示部に画像を表示させると共に、前記第２の表示部のいずれにも画像を表示させないよう制御することを特徴とするプログラム。
【発明の詳細な説明】
【技術分野】
【０００１】
本発明は、各々が独立して画像を表示可能な複数の表示部を備える表示装置を有する電子機器に関する。
【背景技術】
【０００２】
従来、表示部の展開角度や展開状態に応じて表示部の表示状態を切り替えることで、様々な視線の角度から画像を閲覧できる電子機器が知られている。特許文献１には、自装置に対して回転可能に保持され１画面で構成される表示部を様々な角度に遷移させ、任意の角度から表示部を閲覧可能ないわゆるバリアングルモニタが開示されている。この技術では、表示部の回転操作を検知することで、画像の逐次表示を行うライブビューモードに移行する表示制御が実現される。
【０００３】
また、特許文献２では、可撓性を有する表示部を、ヒンジで連結された複数の支持体で支持し、ヒンジの回転によって展開状態と収納状態を成し、機器の小型化と表示範囲の大型化を両立する電子機器（携帯電話機）が開示されている。この技術によれば、折り曲げ可能なデバイスによる表示領域の大型化と機器の小型化を両立できるとされる。
【先行技術文献】
【特許文献】
【０００４】
【特許文献１】特開２０１０−１６８９６号公報
【特許文献２】特開２００５−１１４７５９号公報
【発明の概要】
【発明が解決しようとする課題】
【０００５】
しかしながら、特許文献１、２の電子機器は１画面しか有さず、閲覧性の向上の余地が少ない。また、特許文献２では、大型化した表示領域に画像を表示するので電力消費が多くなる。従って、仮に、電子機器に複数の表示部を備える構成とした場合、機器の大型化の抑制、画像閲覧性向上、電力消費量の増加抑制という要求を同時に満たすことが困難である。
【０００６】
本発明は、機器の小型化及び画像閲覧性向上を両立させつつ電力消費を抑制することを目的とする。
【課題を解決するための手段】
【０００７】
上記目的を達成するために本発明は、筐体と、各々が独立して画像を表示可能な複数の表示部を備え、保持位置において前記筐体に保持された表示装置と、前記表示装置の表示を制御する制御手段と、を有し、前記表示装置において、互いに隣接する前記表示部の表示面同士が成す角度が可変に構成され、前記複数の表示部は、前記保持位置から最も遠い第１の表示部と、前記保持位置において前記筐体に保持された表示部を含む少なくとも１つの第２の表示部とを含み、前記表示装置がとり得る状態として、互いに隣接する前記表示部の表示面同士が成す角度の全てが第１の角度より大きい第１状態と、互いに隣接する前記表示部の表示面同士が成す角度の全てが、前記第１の角度より小さい第２の角度より小さい第２状態と、前記第１状態または前記第２状態のいずれでもない第３状態とがあり、前記制御手段は、前記第３状態においては、前記第１の表示部に画像を表示させると共に、前記第２の表示部の少なくとも１つには画像を表示させないことを特徴とする。
【発明の効果】
【０００８】
本発明によれば、機器の小型化及び画像閲覧性向上を両立させつつ電力消費を抑制することができる。
【図面の簡単な説明】
【０００９】
【図１】電子機器の正面図、図１（ａ）のＡ−Ａ線に沿う断面図である。
【図２】電子機器の斜視図である。
【図３】電子機器の模式的側面図である。
【図４】電子機器のブロック図である。
【図５】各平面部の表示例を示す模式図である。
【図６】電子機器の模式的側面図である。
【図７】表示制御処理のフローチャートである。
【図８】電子機器の模式的側面図である。
【図９】電子機器の模式的側面図である。
【図１０】表示制御処理のフローチャートである。
【図１１】各平面部の表示例を示す模式図である。
【図１２】電子機器の模式的側面図である。
【図１３】表示制御処理のフローチャートである。
【図１４】電子機器の模式的側面図である。
【図１５】電子機器の模式的側面図である。
【発明を実施するための形態】
【００１０】
以下、図面を参照して本発明の実施の形態を説明する。
【００１１】
（第１の実施の形態）
図１（ａ）は、本発明の第１の実施の形態に係る電子機器の正面図である。図１（ｂ）は図１（ａ）のＡ−Ａ線に沿う断面図である。この電子機器１００は、筐体としてのカメラボディ１１２と表示装置１３０とを有する。表示装置１３０は、図１（ｂ）において点線部で囲まれた部分である。カメラボディ１１２は、後述する撮像素子６及びレンズユニット４（図４）を含む撮像部を有し、光軸Ｏ（撮像光軸）方向にある被写体を撮影することができる。以降、電子機器１００の方向を、ＸＹＺ座標軸を基準として呼称する。Ａ−Ａ線はＹ方向に平行である。光軸ＯはＺ方向に略平行である。説明の便宜上、Ｚ方向において表示装置１３０がある側（＋Ｚ方向）を正面側、被写体側（−Ｚ方向）を背面側とする。
【００１２】
まず、表示装置１３０の構成を説明する。表示装置１３０は、いずれもステンレスなどの金属からなる矩形平板形状の第１パネル１０１、第２パネル１０２及び第３パネル１０５を有する。第１パネル１０１は、Ｘ軸と平行な一辺の両端にヒンジ部１０１ａを備えている。また第２パネル１０２は、Ｘ軸と平行な一辺の両端にヒンジ部１０２ａを備えている。ヒンジ部１０１ａとヒンジ部１０２ａとは、Ｘ軸と平行な回転軸ＡＸ０を中心に回転可能に連結される。これにより、第１パネル１０１と第２パネル１０２とは、回転軸ＡＸ０を中心に相対的に回動可能となる。ヒンジ部１０１ａとヒンジ部１０２ａとを合わせて第１ヒンジと呼称する。第２パネル１０２を基準とした第１パネル１０１の回転角度をθａとする。角度θａがとり得る値は少なくとも０〜１８０°であり、図１ではθａ＝１８０°となっている。
【００１３】
第２パネル１０２は、Ｘ軸と平行であってヒンジ部１０２ａとは逆側の一辺の両端にヒンジ部１０２ｄを備えている。また、第３パネル１０５は、Ｘ軸と平行な一辺の両端にヒンジ部１０５ａを備えている。ヒンジ部１０２ｄとヒンジ部１０５ａとは、Ｘ軸と平行な回転軸ＡＸ１を中心に回転可能に連結される。これにより、第２パネル１０２と第３パネル１０５とは、回転軸ＡＸ１を中心に相対的に回動可能となる。ヒンジ部１０２ｄとヒンジ部１０５ａとを合わせて第２ヒンジと呼称する。第３パネル１０５を基準とした第２パネル１０２の回転角度をθｂとする。角度θｂがとり得る値は少なくとも０〜１８０°であり、図１ではθｂ＝１８０°となっている。
【００１４】
このように、表示装置１３０は、第１パネル１０１、第２パネル１０２、第３パネル１０５、回転軸ＡＸ０を中心とするヒンジ部１０１ａ、１０２ａを含む第１ヒンジ、回転軸ＡＸ１を中心とするヒンジ部１０２ｄ、１０５ａを含む第２ヒンジを有する。
【００１５】
ディスプレイ１０４は、有機ＥＬで構成される矩形で薄いフィルム状のディスプレイであり、少なくとも一部に可撓性を有している。ディスプレイ１０４の一方の面が、表示内容を自在に変更可能な表示面となる。この表示面には静電容量式のタッチパネルが内蔵され、ユーザが指などでタッチすることで各種操作を行うことが可能である。ディスプレイ１０４における表示面の反対側には、各部材に固定されるための不図示の３つの両面テープが貼り付けられている。
【００１６】
ディスプレイ１０４は、Ｘ軸に平行な境界線Ｆ１〜Ｆ４によって、仮想的な５つの部分に分けられる。図１（ａ）の状態では、Ｙ方向において、境界線Ｆ２、Ｆ１、Ｆ３、Ｆ４が順に位置し、５つの部分は順に、第１平面部１０４ａ、第１屈曲部１０４ｂ、第２平面部１０４ｃ、第２屈曲部１０４ｄ、第３平面部１０４ｅである。第１平面部１０４ａ、第２平面部１０４ｃ、第３平面部１０４ｅが、複数の表示部に該当する。これら複数の表示部は、各々が独立して画像を表示可能である。第１パネル１０１に第１平面部１０４ａの背面が貼り付けられ、第２パネル１０２に第２平面部１０４ｃの背面が貼り付けられ、第３パネル１０５に第３平面部１０４ｅの背面が貼り付けられている。
【００１７】
第１パネル１０１、第２パネル１０２、第３パネル１０５の各々の表裏のうち、図１に示すθａ＝θｂ＝１８０°となる状態時に、＋Ｚ方向（後述する第３平面部１０４ｅの表示面の法線Ｅ方向）を向く面を第１面とし、その反対側面を第２面とする。本実施の形態では、パネル１０１、１０２、１０５のいずれも、第１面が、画像を表示可能な表示面（厳密にはディスプレイ１０４の表示面に対応する面）となる。上記した角度θａ、θｂは隣接するパネルの表示面同士が成す角度に該当する。図１に示す状態は、後述する展開状態に含まれる。図１に示す状態においては、パネル１０１、１０２、１０５の各第１面が互いに平行で同じ向きとなる。第１ヒンジの回転軸ＡＸ０、２ヒンジの回転軸ＡＸ１は、常に、パネル１０１、１０２、１０５の各第１面の法線に直交する。
【００１８】
なお、第１及び第２ヒンジは、第１平面部１０４ａ、第２平面部１０４ｃ、第３平面部１０４ｅ間の角度を可変にする構造であれば他の構造でもよい。例えば、各パネルが弾性を有する屈曲部で回転可能に接続される構造でもよい。なお、第１平面部１０４ａ、第２平面部１０４ｃ、第３平面部１０４ｅは連続している必要はない。すなわち、互いに隣接する平面部の表示面同士が成す角度が可変に構成されていればよい。従って、例えば、第１、第２屈曲部がなく、第１平面部、第２平面部、第３平面部がそれぞれ別のディスプレイであってもよい。
【００１９】
次に、第１及び第２ヒンジによる各パネルの回動動作を説明する。図２（ａ）〜（ｃ）は、第１及び第２ヒンジを回転させたときの電子機器１００の斜視図である。図２（ａ）、（ｂ）（ｃ）はそれぞれ、θａ＝θｂ＝１８０°、９０°、０°の場合を示す。第１平面部１０４ａの表示面、第２平面部１０４ｃの表示面、第３平面部１０４ｅの表示面の、それぞれの法線方向をＡ、Ｃ、Ｅとする。
【００２０】
表示装置１３０は、４個のビスによって表示装置１３０の背面においてカメラボディ１１２に保持されている。ここで表示装置１３０の背面とは、第３パネル１０５の第１面とは逆の第２面を指す。第３パネル１０５の第２面が、カメラボディ１１２に保持される保持部（保持位置）となる。第３パネル１０５はカメラボディ１１２に対して固定されるので、第３パネル１０５に固定される第３平面部１０４ｅの法線Ｅ方向は、常に＋Ｚ方向（カメラボディ１１２の撮像部の撮像方向とは逆）である。第１平面部１０４ａは、保持部から最も遠い（離れた）表示部である。
【００２１】
図２（ａ）、（ｂ）（ｃ）はそれぞれ、展開状態（第１状態）、途中状態（第３状態）、収納状態（第２状態）の各一例を示している。途中状態は、展開状態または収納状態のいずれにも該当しない状態である。図３を用いて、展開状態、途中状態、収納状態を定義すると共に、各平面部の回動の態様を説明する。
【００２２】
図３（ａ）〜（ｅ）は、電子機器１００の模式的側面図である。各図において、第１平面部１０４ａ、第２平面部１０４ｃ、第３平面部１０４ｅ内の黒塗り部は、画像が表示状態であることを示し、白塗り部は画像が非表示状態であることを示す。
【００２３】
本実施の形態では、角度θａと角度θｂのいずれもが第１の角度θ１より大きい状態を、表示装置１３０の「展開状態」とする。第１の角度θ１は９０°以上あることが望ましく、本実施の形態では一例として、第１の角度θ１が１６０°であるとする。また、角度θａと角度θｂのいずれもが第２の角度θ２より小さい状態を、表示装置１３０の「収納状態」とする。第２の角度θ２は９０°未満であることが望ましく、本実施の形態では一例として、第２の角度θ２が３０°であるとする。なお、θ２＜θ１である。
【００２４】
図３（ａ）に示す状態は、θａ＝θb＝１８０°の展開状態であり、Ａ方向、Ｃ方向、Ｅ方向はともに＋Ｚ方向である。すなわち、第１平面部１０４ａ、第２平面部１０４ｃ、第３平面部１０４ｅが互いに平行で、各表示面が同じ方向を向くようにディスプレイ１０４が展開されている。展開状態では、＋Ｚ方向に向かって表示される表示面積を大きくでき、表示される画像や文字情報の閲覧性（視認性）が高い。平面部１０４ａ、１０４ｃ、１０４ｅには、例えば、撮像部で取得されたライブビュー画像が表示される。図３（ｂ）も展開状態を示す。第１の角度θ１が９０°以上あることが望ましいのは、いずれかの平面部と正対する方向から表示装置１３０を見たとき、平面部１０４ａ、１０４ｃ、１０４ｅの全てを視認できるからである。
【００２５】
図３（ｂ）の展開状態から各ヒンジを回転させると、第１屈曲部１０４ｂ及び第２屈曲部１０４ｄが各ヒンジの回転に伴って屈曲し、ディスプレイ１０４が折り畳まれていく。図３（ｂ）の展開状態から、回転軸ＡＸ０を中心に第２平面部１０４ｃが回動し、回転軸ＡＸ１を中心に第１平面部１０４ａが回動すると、やがて、図３（ｃ）に例示する途中状態に遷移する。図３（ｃ）に示す状態は、θａ＝θb＝９０°の途中状態であり、Ｃ方向は＋Ｙ方向、Ａ方向、Ｅ方向は＋Ｚ方向となっている。
【００２６】
図３（ｃ）に示す途中状態からさらに各ヒンジを回転させると、やがて図３（ｄ）に例示する収納状態に遷移する。図３（ｄ）に示す状態は、θａ＝θｂ＝０°の収納状態であり、Ｃ方向は−Ｚ方向となり、Ａ方向及びＥ方向は＋Ｚ方向となっている。言い換えると、第１パネル１０１の第２面と、第２パネル１０２の第２面とが略平行に対向し、第２パネル１０２の第１面と第３パネル１０５の第１面とが略平行に対向した状態となる。このようにディスプレイ１０４が折り畳まれることで、収納状態では、表示装置１３０をＺ方向における寸法を小さくでき、電子機器１００の携帯性が高くなる。
【００２７】
θａ＝θｂ＝０°に至らない図３（ｅ）に示す状態も収納状態に含まれる。第２の角度θ２が９０°未満であることが望ましいのは、平面部１０４ａ、１０４ｃ、１０４ｅの全てがＺ方向から見て（光軸方向に）重畳することによる。すなわち、重畳しているディスプレイ１０４は、閲覧性が低く必ずしも画像を表示する必要がないので省電力が可能であり、さらに、電子機器１００のＺ方向への寸法が十分小さく携帯性が良い。従って、収納状態では携帯性が高く、省電力である。
【００２８】
このように、電子機器１００はヒンジの回転によって収納状態と展開状態とに遷移可能であり、装置サイズが小さい収納状態と表示面積の大きい展開状態とを切り替えることで、携帯性と閲覧性を両立できる。
【００２９】
図４は、電子機器１００のブロック図である。制御部２は、電子機器１００の動作を統括的に制御する。制御部２は、制御手段としてのＣＰＵ２１のほか、ＲＡＭ２２、ＲＯＭ２３を有する。ＲＯＭ２３にはＣＰＵ２１が実行するプログラムが格納される。ＲＡＭ２２は、ＣＰＵ２１がプログラムを実行する際のワークエリアとなる。電子機器１００の各部の動作は、ＣＰＵ２１からの指示に応じて制御される。
【００３０】
レンズ制御回路３は、レンズユニット４における不図示のズームレンズ、フォーカスレンズ、絞りなどの駆動を制御する。なお、レンズユニット４は、カメラボディ１１２と一体に設けられるが、レンズユニット４がカメラボディ１１２に対して着脱自在に設けられる構成でもよい。本実施の形態では、レンズユニット４と撮像素子６とを合わせて撮像部が構成される。
【００３１】
撮像素子６は、ＣＭＯＳ等の電荷蓄積型の撮像素子である。撮像素子６は、レンズユニット４を介して入射した光束（被写体の光学像）を光電変換することによってアナログ画像データを出力する。撮像制御回路５は、撮像素子６の動作および不図示のシャッタの駆動を制御する。撮像制御回路５は、撮像素子６の蓄積時間制御や蓄積した電荷の読み出しに関する制御を行う。
【００３２】
電源スイッチ９は、電子機器１００の電源のオン／オフを指示するためのスイッチである。電源スイッチ９がオンされると、電子機器１００の各部に電力が供給される。レリーズスイッチ１１は、撮像部を有する電子機器１００を撮像装置として使用する際に使用される。レリーズスイッチ１１は、撮像部による静止画撮影の命令をするためのスイッチである。レリーズスイッチ１１がオンされると、撮像部のシャッタが切られる。
【００３３】
モード切替えボタン１２は、第１平面部１０４ａ、第２平面部１０４ｃ、第３平面部１０４ｅの表示モードを切り替えるボタンである。表示モードは電子機器１００の用途に応じて複数存在する。例えば、電子機器１００が撮像装置として使用される際、撮影時にライブビューを表示するライブビューモードがあり、撮影時以外では過去に撮影した画像を表示するモードあるいは各種情報を表示するモードがある。ユーザによるモード切替えボタン１２の操作に応じて、制御部２は、表示モードを切り替える。
【００３４】
位置検出センサ２０は、各ヒンジの回転角度を検出する角度センサによって実現される検出手段である。位置検出センサ２０は、表示装置１３０の第１平面部１０４ａ、第２平面部１０４ｃ、第３平面部１０４ｅの相対位置を検出する。なお、隣接する平面部の表示面同士が成す角度を検出可能であれば、位置検出センサ２０の構成は問わず、また、各平面部のカメラボディ１１２に対する位置を検出する構成であってもよい。
【００３５】
ＣＰＵ２１は、表示制御回路７を介して、第１平面部１０４ａ、第２平面部１０４ｃ、第３平面部１０４ｅに画像を表示する制御を行う。ＣＰＵ２１は、位置検出センサ２０で検出された各平面部の相対位置に基づいて、画像を表示すべき平面部を決定する。ＣＰＵ２１は、モード切替えボタン１２の操作に応じて現在のモードを特定し、モードに応じて各平面部に画像を表示させる。
【００３６】
次に、図５、図６を用いて、表示装置１３０の各平面部の回動状態と表示との関係について説明する。図５（ａ）〜（ｅ）は、各平面部１０４ａ、１０４ｃ、１０４ｅの表示例を示す模式図である。図６（ａ）〜（ｇ）は、電子機器１００の模式的側面図である。図６において、各平面部の黒塗り部は画像が表示状態であることを示し、白塗り部は画像が非表示状態であることを示す。
【００３７】
まず、上述した第１の角度θ１（１６０°）、第２の角度θ２（３０°）に加えて、第３角度θ３、第４角度θ４を定義する。第３角度θ３は６０°以上、第４の角度θ４は９０°以上が望ましい。第３角度θ３が６０°以上であるのが望ましい理由については図８で後述する。
【００３８】
本実施の形態では一例として、θ３＝１３０°、θ４＝９０°であるとする。以下、ユーザからの指示がある場合を除いて表示条件を説明する。ＣＰＵ２１により、原則として次のように表示制御される。
【００３９】
収納状態においては、保持部から最も遠い表示部である第１平面部１０４ａに画像が表示され、他の平面部は非表示とされる（図５（ａ））。この場合、保持部に保持された第３平面部１０４ｅの表示面の法線Ｅ方向における当該表示面の正面視において、保持部から最も遠い平面部（第１平面部１０４ａ）の表示面が視認可能であることを条件としてもよい。本実施の形態ではこの条件を適用する。本実施の形態ではこの条件は満たされる。展開状態においては、保持部においてカメラボディ１１２に保持された表示部である第３平面部１０４ｅに画像が表示され、他の平面部は非表示とされる（図５（ｂ））。途中状態においては、第１平面部１０４ａに画像が表示され、第１平面部１０４ａ以外の他の平面部の少なくとも１つは非表示とされる。例えば、他の平面部は全て非表示とされる（図５（ａ））。
【００４０】
ただし、途中状態であっても、隣接する平面部の組のうち、表示面同士が成す角度が第３の角度θ３より大きくなる組がある場合は、当該組を構成する平面部に画像が表示される。本実施の形態では、第１平面部１０４ａと第２平面部１０４ｃとの組の表示面同士が角度θａを成し、第２平面部１０４ｃと第３平面部１０４ｅとの組の表示面同士が角度θｂを成す。従って、角度θａまたは角度θｂの少なくともいずれかが第３の角度θ３より大きい場合は、連続する表示領域に亘って画像が表示される（図５（ｄ）、（ｅ）、図６（ｅ）、（ｆ））。この場合、ＣＰＵ２１は、当該組を構成する平面部以外の平面部は非表示とする。なお、第３平面部１０４ｅに画像を表示する設定となっていた場合は、その設定を維持してもよい。
【００４１】
また、途中状態であっても、保持部においてカメラボディ１１２に保持された第３平面部１０４ｅの表示面とこれに隣接する第２平面部１０４ｃの表示面とが成す角度が第４の角度θ４より大きい場合は、第３平面部１０４ｅにも画像が表示される。つまり、θｂ＞θ４である場合、図５（ｃ）、図６（ｄ）に示すような表示状態となる。以下、図５、図６を参照して具体例に則してさらに説明する。
【００４２】
図６（ａ）に示す状態は、θａ＝θｂ＝２５°である収納状態であり、図６（ｃ）に示す状態はθａ＝１００°、θｂ＝３０°の途中状態である。図６（ｃ）に示す途中状態は、目線より低い位置にある被写体を撮影する際にとられると考えられる。図６（ａ）のような収納状態や図６（ｃ）のような途中状態においては、保持部から最も離れた表示領域である第１平面部１０４ａに画像が表示される（図５（ａ））。しかし、第２平面部１０４ｃと３平面部１０４ｅとには画像が表示されない。図６（ａ）の収納状態では、第２平面部１０４ｃと３平面部１０４ｅは第１平面部１０４ａに遮られるため閲覧が困難だからである。また、図６（ｃ）の途中状態では、第１平面部１０４ａが最も閲覧性が高いが、第２平面部１０４ｃ、第３平面部１０４ｅは第１パネル１０１によって遮られてしまい、閲覧が困難だからである。このように視認しやすい第１平面部１０４ａにだけ画像を表示する制御を行うことで、閲覧性を維持しながら省電力が可能である。
【００４３】
図６（ｂ）に示す状態は、θａ＝θｂ＝１６５°の展開状態である。この状態では、第３平面部１０４ｅに画像が表示される（図５（ｂ））。なぜなら、この展開状態で第１平面部１０４ａに画像を表示すると、第１平面部１０４ａを閲覧する目線Ｘと光軸Ｏの成す角度が大きくなり過ぎて閲覧性が低下するからである。つまり、第１平面部１０４ａの位置がカメラボディ１１２から大きく離れるからである。一方、第３平面部１０４ｅについては、画面を閲覧する目線Ｘと光軸Ｏの成す角度は小さく、閲覧性が良いからである。従って、展開状態では第３平面部１０４ｅにだけ画像表示する制御を行うことで、閲覧性が高くなる。
【００４４】
図６（ｄ）に示す状態は途中状態であり、これには、目線より高い位置の被写体を撮影する際に使用される場合（目線Ａ）と、光軸方向の画面を見ながら撮影する場合（目線Ｂ）が考えられる。図６（ｄ）の途中状態では、θｂ＞θ４であるので、第１平面部１０４ａと第３平面部１０４ｅとに画像が表示される（図５（ｃ））。第２平面部１０４ｃは非表示とされる。これにより、閲覧性を維持しながら省電力が可能である。なお、第４の角度θ４が９０°以上であるのが望ましいのは、第３平面部１０４ｅが他の平面部に遮られることなく閲覧容易となるからである。
【００４５】
なお、図６（ｄ）の状態において、目線Ｂで撮影を行う場合は、第２平面部１０４ｃを視認することも容易なので、ユーザ設定により第２平面部１０４ｃに設定画面を表示させてもよい。その際、第１平面部１０４ａは非表示としてもよい。
【００４６】
図６（ｅ）に示す状態は、θａ＝８０°、θｂ＝１６５°の途中状態である。この状態では、θｂ＞θ３であるので、途中状態であるにもかかわらず、第３平面部１０４ｅ及び第２平面部１０４ｃに亘って画像が表示される（図５（ｄ））。図６（ｆ）に示す状態は、θａ＝１８０°、θｂ＝９０°の途中状態である。この状態では、θａ＞θ３であるので、途中状態であるにもかかわらず、第２平面部１０４ｃ及び第１平面部１０４ａに亘って画像が表示される（図５（ｅ））。
【００４７】
ところで、本実施の形態では、表示装置１３０が展開状態、途中状態、収納状態のいずれであったとしても、ＣＰＵ２１は、ユーザからの指示が入力された場合は、当該指示に基づいて各表示部の表示を制御する。ユーザ指示を優先することで、ユーザの意思で表示設定を変更可能にして、ユーザにとって閲覧性の高い状態を提供できる。ユーザは、表示画面へのタッチ操作などにより、表示設定に関するユーザ指示を入力することができる。ユーザは、非表示となっている平面部をタッチすることで、その平面部に画像を表示させるよう、設定変更することができる。
【００４８】
例えば、図６（ｄ）に示す、θａ＝１０°、θｂ＝９０°の途中状態では、第１平面部１０４ａ、第３平面部１０４ｅに画像が表示され、第２平面部１０４ｃに画像が表示されていない。一方で、図６（ｇ）に示すように、低い位置にある表示装置１３０に対し、目線Ｃからディスプレイ１０４を閲覧する際、第３平面部１０４ｅよりも第２平面部１０４ｃの方が閲覧性が高くなる。そこで、図６（ｄ）に示す状態において、ユーザが第２平面部１０４ｃをタッチすることで、第２平面部１０４ｃを表示状態に移行させることができる。その際、第３平面部１０４ｅに画像が表示されたままだと、全平面部に画像が表示された状態となって消費電力が増加する。
【００４９】
そこで、図６（ｇ）に示すように、ＣＰＵ２１は、第３平面部１０４ｅの表示を消すと共に第２平面部１０４ｃに画像を表示する、という制御を行う。これにより、閲覧性を維持しながら省電力が可能となる。なお、第２平面部１０４ｃに画像を表示する場合、第１平面部１０４ａに画像を表示しない、という制御を行っても良い。つまり、タッチされた平面部以外の平面部を非表示としてもよい。
【００５０】
図７は、表示制御処理のフローチャートである。この処理は、ＣＰＵ２１が、ＲＯＭ２３に格納されたプログラムをＲＡＭ２２に展開して実行することにより実現される。この処理は、電子機器１００の電源スイッチ９のオンに応じて開始される。
【００５１】
ステップＳ１０１では、ＣＰＵ２１は、位置検出センサ２０からの出力信号に基づき、現在の第１平面部１０４ａ、第２平面部１０４ｃ、第３平面部１０４ｅの各相対位置を検出する。この相対位置の検出では、具体的には、ＣＰＵ２１は角度θａ、θｂを取得する。なお、ＣＰＵ２１は、電源スイッチ９のオン以降は随時、位置検出センサ２０の出力に基づく角度θａ、θｂの取得を継続する。
【００５２】
ステップＳ１０２では、ＣＰＵ２１は、角度θａと角度θｂが共に第２の角度θ２より小さい（θａ、θｂ＜θ２）か否かを判別する。その結果、ＣＰＵ２１は、角度θａと角度θｂが共に第２の角度θ２より小さいと判別した場合は、表示装置１３０は収納状態であると判断して、処理をステップＳ１０４に進める。ステップＳ１０４では、ＣＰＵ２１は、保持部から最も遠い第１平面部１０４ａに画像を表示し、第２平面部１０４ｃ、第３平面部１０４ｅには画像を表示しないよう設定する（図５（ａ）、図６（ａ））。その後、ＣＰＵ２１は、処理をステップＳ１１０へ進める。なお、表示設定はＲＡＭ２２に記憶され、各ステップでの処理に従って逐次更新され得る。
【００５３】
また、ステップＳ１０２で、角度θａと角度θｂの少なくともいずれかが第２の角度θ２より小さくないと判別した場合は、ＣＰＵ２１は、処理をステップＳ１０３に進める。ステップＳ１０３では、ＣＰＵ２１は、角度θａと角度θｂが共に第１の角度θ１より大きい（θａ、θｂ＞θ１）か否かを判別する。その結果、ＣＰＵ２１は、角度θａと角度θｂが共に第１の角度θ１より大きいと判別した場合は、表示装置１３０は展開状態であると判断して、処理をステップＳ１０６に進める。ステップＳ１０６では、ＣＰＵ２１は、保持部にて保持されている第３平面部１０４ｅに画像を表示し、第２平面部１０４ｃ、第１平面部１０４ａには画像を表示しないよう設定する（図５（ｂ）、図６（ｂ））。その後、ＣＰＵ２１は、処理をステップＳ１１０へ進める。
【００５４】
ステップＳ１０３で、角度θａと角度θｂの少なくともいずれかが第１の角度θ１より大きくないと判別した場合は、ＣＰＵ２１は、表示装置１３０は途中状態であると判断して、処理をステップＳ１０５に進める。ステップＳ１０５では、ＣＰＵ２１は、第１平面部１０４ａ以外の少なくとも１つの平面部には画像を表示しないように設定する。本実施の形態では、ＣＰＵ２１は、第１平面部１０４ａに画像を表示し、第２平面部１０４ｃ、第３平面部１０４ｅには画像を表示しないよう設定する（図５（ａ）、図６（ｃ））。その後、ＣＰＵ２１は、処理をステップＳ１０７へ進める。
【００５５】
ステップＳ１０７において、ＣＰＵ２１は、保持部に保持された平面部の表示面とこの平面部に隣接する平面部の表示面とが成す角度（ここでは角度θｂ）が、第４の角度θ４より大きい（θｂ＞θ４）か否かを判別する。その結果、ＣＰＵ２１は、角度θｂが第４の角度θ４より大きいと判別した場合は、処理をステップＳ１０９に進める。ステップＳ１０９では、ＣＰＵ２１は、保持部に保持された平面部にも画像を表示させるよう設定する。すなわち、本実施の形態では、ＣＰＵ２１は、現状の表示設定における第１平面部１０４ａに加えて第３平面部１０４ｅにも画像を表示するよう設定する（図５（ｃ）、図６（ｄ））。その後、ＣＰＵ２１は、処理をステップＳ１０８へ進める。ステップＳ１０７で、ＣＰＵ２１は、角度θｂが第４の角度θ４より大きくないと判別した場合は、処理をステップＳ１０８に進める。
【００５６】
ステップＳ１０８では、ＣＰＵ２１は、隣接する平面部の組のうち、表示面同士が成す角度が第３の角度θ３より大きくなる組があるか否かを判別する。上述のように、第１平面部１０４ａと第２平面部１０４ｃとの組の表示面同士が角度θａを成し、第２平面部１０４ｃと第３平面部１０４ｅとの組の表示面同士が角度θｂを成す。ＣＰＵ２１は、角度θａまたは角度θｂの少なくともいずれかが第３の角度θ３より大きいと判別した場合は、処理をステップＳ１１１に進める。ＣＰＵ２１は、角度θａ、θｂのいずれも第３の角度θ３より大きくないと判別した場合は、処理をステップＳ１１０に進める。
【００５７】
ステップＳ１１１では、ＣＰＵ２１は、第３の角度θ３より大きい角度に対応する組を構成する２つの平面部に亘って画像を表示させるよう設定する。例えば、図６（ｅ）の状態ではθｂ＝１６５°＞θ３であるので、ＣＰＵ２１は、第２平面部１０４ｃと第３平面部１０４ｅとに亘って（連続して）画像を表示するよう設定する（図５（ｄ））。また、図６（ｆ）の状態では、θａ＝１８０°＞θ３であるので、ＣＰＵ２１は、第１平面部１０４ａと第２平面部１０４ｃとに亘って画像を表示するよう設定する（図５（ｅ））。このとき、ＣＰＵ２１は、第３平面部１０４ｅに画像を表示しない設定にする。なお、ＣＰＵ２１は、θａ＞θ３、θｂ＞θ３が共に成立する場合は、平面部１０４ａ、１０４ｃ、１０４ｅの全平面部に亘って画像を表示するよう設定してもよい。なお、ステップＳ１０９を経たことで、現在の表示設定が第３平面部１０４ｅに画像を表示する設定となっていた場合は、その設定を維持してもよい。その後、ＣＰＵ２１は処理をステップＳ１１０に進める。
【００５８】
なお、ステップＳ１１１で、ＣＰＵ２１は、隣接する２つの平面部に亘って画像を表示する場合、これら２つの平面部間にある屈曲部にも画像を表示させてもよい。例えば、角度θａ、θｂが共に第３角度θ３より大きいことで平面部１０４ａ、１０４ｃ、１０４ｅの全てに画像を表示するよう設定された場合、第１屈曲部１０４ｂ、第２屈曲部１０４ｄを含むディスプレイ１０４の全画面に画像を連結表示させてもよい。
【００５９】
ステップＳ１１０では、ＣＰＵ２１は、現在の表示設定に従って、ディスプレイ１０４に画像を表示させる。その後、ステップＳ１１２では、ＣＰＵ２１は、表示画面へのタッチ操作などによる、表示設定に関するユーザ指示があったか否かを判別する。ユーザは、例えば、非表示となっている平面部のうち表示させたい平面部の表示面にタッチする。そして、ＣＰＵ２１は、表示設定に関するユーザ指示がないと判別した場合は、処理をステップＳ１１５に進める。しかし、表示設定に関するユーザ指示があったと判別した場合は、ＣＰＵ２１は、処理をステップＳ１１３に進める。
【００６０】
ステップＳ１１３では、ＣＰＵ２１は、ユーザ指示に従って表示設定を変更する。例えば、ＣＰＵ２１は、タッチされた平面部に画像を表示し、それ以外の平面部の少なくとも１つには画像を表示させないよう設定する。なお、ＣＰＵ２１は、タッチされた平面部以外の全ての平面部に対して画像を表示しないように設定してもよい。次に、ＣＰＵ２１は、ステップＳ１１４で、変更後の表示設定に従ってディスプレイ１０４に画像を表示させる（例えば、図６（ｇ））。その後、ＣＰＵ２１は、処理をステップＳ１１５に進める。
【００６１】
ステップＳ１１５では、ＣＰＵ２１は、撮影操作がなされたか否かを判別する。そして、ＣＰＵ２１は、撮影操作がなされないと判別した場合は、処理をステップＳ１０１に戻す。一方、撮影操作がなされたと判別した場合は、ＣＰＵ２１は、図７の一連の処理を終了する。
【００６２】
上述のように、第３角度θ３は６０°以上であることが望ましい。この理由を図８で説明する。図８は、電子機器１００の模式的側面図である。図８では、θｂ＝６０°である。図８に示す目線から第２平面部１０４ｃ及び第３平面部１０４ｅを視認したとする。目線方向に投影される第２平面部１０４ｃ及び第３平面部１０４ｅを併せた画像が視認される画像となり、これは範囲Ｓの画像となる。θｂ＝６０°であるので、範囲Ｓに射影された平面部１０４ｃ、１０４ｅを併せた画像の見かけ上の大きさは、１つの平面部の画像の大きさと同等となる。従って、θｂが６０°以上であれば、隣接する２つの平面部１０４ｃ、１０４ｅに連続表示した画像が、１つの平面部に表示した画像の大きさより大きくなる。以上から、隣接する２つの平面部に連続して画像を表示することで、視認される画像が拡大され、閲覧性が向上する。
【００６３】
本実施の形態によれば、表示装置１３０は、互いに隣接する平面部の表示面同士が成す角度が可変に構成され、展開状態、途中状態、収納状態をとり得る。そしてＣＰＵ２１は、途中状態では、保持部から最も遠い平面部（第１平面部１０４ａ）に画像を表示させると共に、それ以外の平面部の少なくとも１つには画像を表示させない。よって、機器の小型化及び画像閲覧性向上を両立させつつ電力消費を抑制することができる。
【００６４】
また、展開状態においては、保持部において保持された表示部（第３平面部１０４ｅ）に画像が表示され、これ以外の表示部に画像が表示されないので、筐体に近い表示部に画像を表示させて閲覧性を高めることができる。
【００６５】
また、収納状態においては、保持部から最も遠い第１平面部１０４ａに画像が表示され、他の平面部は非表示とされる。法線Ｅ方向における第３平面部１０４ｅの表示面の正面視において、第１平面部１０４ａの表示面が視認可能である。従って、閲覧性を維持すると共に、閲覧困難な表示部を非表示にして電力消費を低減することができる。
【００６６】
また、途中状態であっても、隣接する平面部の組のうち、表示面同士が成す角度が第３の角度θ３より大きくなる組がある場合は、当該組を構成する平面部に画像が表示される。隣接する２つの平面部に亘って画像表示されるので、閲覧性が高まる。
【００６７】
また、途中状態であっても、保持部において保持された平面部（第３平面部１０４ｅ）の表示面とこれに隣接する平面部（第２平面部１０４ｃ）の表示面とが成す角度θｂが第４の角度θ４より大きい場合は、第３平面部１０４ｅにも画像が表示される。これにより、閲覧性を高めながら電力消費を低減することができる。
【００６８】
また、表示装置１３０がいずれの状態であっても、ユーザからの指示が入力された場合は、ユーザ指示に基づいて各表示部の表示が制御されるので、ユーザにとって閲覧性の高い状態を提供できる。
【００６９】
（第２の実施の形態）
本発明の第２の実施の形態では、表示装置は４つの平面部を有する構成とする。その他の構成は第１の実施の形態と同様である。
【００７０】
図９は、本実施の形態の電子機器２００の模式的側面図である。電子機器２００は、カメラボディ１１２と表示装置２３０とを有する。表示装置２３０はディスプレイ２０４を有する。ディスプレイ２０４は、第１平面部１０４ａ、第２平面部１０４ｃ、第３平面部１０４ｅに加えて、第４平面部１０４ｇを有する。表示装置２３０は、パネルとしては、第１パネル１０１、第２パネル１０２、第３パネル１０５に加えて、矩形平板形状の第４パネル１０６を有する。第４パネル１０６の第２面が、不図示の両面テープによってカメラボディ１１２に固定されている。従って、保持部に保持された平面部には、第４平面部１０４ｇが該当する。保持部から最も遠い平面部には第１平面部１０４ａが該当する。
【００７１】
第４平面部１０４ｇの表示面の法線方向（＋Ｚ方向）をＧとする。第３パネル１０５は、ヒンジ部１０５ａとは逆側の一辺の両端に、ヒンジ部１０５ｄを備えている。また、第４パネル１０６は、Ｘ軸と平行な一辺の両端にヒンジ部１０６ａを備えている。ヒンジ部１０５ａとヒンジ部１０６ａとは、Ｘ軸と平行な回転軸ＡＸ２を中心に回転可能に連結される。これにより、第３パネル１０５と第４パネル１０６とは、回転軸ＡＸ２を中心に相対的に回動可能である。ヒンジ部１０５ａとヒンジ部１０６ａを合わせて「第３ヒンジ」と呼称する。第４パネル１０６を基準とした第３パネル１０５の回転方向を図中のθｃで示す。図９の例ではθａ＝θｂ＝θｃ＝２５°である。第３平面部１０４ｅと第４平面部１０４ｇとの間には、第１屈曲部１０４ｂや第２屈曲部１０４ｄと同様の屈曲部がある。
【００７２】
本実施の形態では、角度θａ、θｂ、θｃのいずれもが第１の角度θ１より大きい状態が、表示装置２３０の「展開状態」である。角度θａ、θｂ、θｃのいずれもが第２の角度θ２より小さい状態が、表示装置２３０の「収納状態」である。収納状態、展開状態のいずれでもない状態が「途中状態」である。各角度θの定義及び例示値は第１の実施の形態と同じである。
【００７３】
第１の実施の形態では、収納状態では第１平面部１０４ａに画像表示された。しかし、本実施の形態では、図９に示すθａ＝θｂ＝θｃ＝２５°の収納状態において、すべての平面部の閲覧性が低い。そこで、いずれの平面部にも画像が表示されない。すなわち、法線Ｇ方向における第４平面部１０４ｇの表示面の正面視において、保持部から最も遠い平面部（第１平面部１０４ａ）の表示面が視認可能であることを条件としてもよい。本実施の形態ではこの条件を適用する。本実施の形態ではこの条件は満たされない。そのため、ＣＰＵ２１は、収納状態では第１平面部１０４ａに画像が表示されないよう制御する。
【００７４】
図１０と図１１を参照して、表示制御を説明する。図１０は、表示制御処理のフローチャートである。この処理の実行主体、実行条件、開始条件は、第１の実施の形態（図７）と同様である。図１１（ａ）〜（ｆ）は、各平面部１０４ａ、１０４ｃ、１０４ｅ、１０４ｇの表示例を示す模式図である。
【００７５】
ステップＳ２０１では、ＣＰＵ２１は、図７のステップＳ１０１と同様の処理を実行する。ステップＳ２０２では、ＣＰＵ２１は、角度θａ、θｂ、θｃが共に第２の角度θ２より小さい（θａ、θｂ、θｃ＜θ２）か否かを判別する。その結果、ＣＰＵ２１は、角度θａ、θｂ、θｃが共に第２の角度θ２より小さいと判別した場合は、表示装置２３０は収納状態であると判断して、処理をステップＳ２０４に進める。
【００７６】
ステップＳ２０４では、ＣＰＵ２１は、平面部に画像を表示しないよう設定する。なぜなら、図９に例示するように、収納状態では第１平面部１０４ａ、第２平面部１０４ｃ、第３平面部１０４ｅ、第４平面部１０４ｇはいずれも、隣接する平面部の背面に遮られ、閲覧性が良くないからである。特に、第１平面部１０４ａにも表示させないのは、法線Ｇ方向における第４平面部１０４ｇの表示面の正面視において、第１平面部１０４ａの表示面が視認可能でないからである。ステップ２０４の後、ＣＰＵ２１は、処理をステップＳ２１２へ進める。なお、表示設定はＲＡＭ２２に記憶され、各ステップでの処理に従って逐次更新され得る。
【００７７】
ステップＳ２０２で、角度θａ、θｂ、θｃの少なくともいずれかが第２の角度θ２より小さくないと判別した場合は、ＣＰＵ２１は、処理をステップＳ２０３に進める。ステップＳ２０３では、ＣＰＵ２１は、角度θａ、θｂ、θｃが共に第１の角度θ１より大きい（θａ、θｂ、θｃ＞θ１）か否かを判別する。その結果、ＣＰＵ２１は、角度θａ、θｂ、θｃが共に第１の角度θ１より大きいと判別した場合は、表示装置２３０は展開状態であると判断して、処理をステップＳ２０６に進める。ステップＳ２０６では、ＣＰＵ２１は、保持部にて保持されている第４平面部１０４ｇに画像を表示し、その他の平面部には画像を表示しないよう設定する（図１１（ａ））。その後、ＣＰＵ２１は、処理をステップＳ２１０へ進める。
【００７８】
ステップＳ２０３で、角度θａ、θｂ、θｃの少なくともいずれかが第１の角度θ１より大きくないと判別した場合は、ＣＰＵ２１は、表示装置２３０は途中状態であると判断して、処理をステップＳ２０５に進める。ステップＳ２０５では、ＣＰＵ２１は、保持部から最も遠い第１平面部１０４ａに画像を表示し、それ以外の少なくとも１つの平面部には画像を表示しないように設定する。本実施の形態では、ＣＰＵ２１は、第１平面部１０４ａに画像を表示し、平面部１０４ｃ、１０４ｅ、１０４ｇには画像を表示しないよう設定する（図１１（ｂ））。その後、ＣＰＵ２１は、処理をステップＳ２０７へ進める。
【００７９】
ステップＳ２０７において、ＣＰＵ２１は、保持部に保持された平面部の表示面とこの平面部に隣接する平面部の表示面とが成す角度（ここでは角度θｃ）が、第４の角度θ４より大きい（θｃ＞θ４）か否かを判別する。その結果、ＣＰＵ２１は、角度θｃが第４の角度θ４より大きいと判別した場合は、処理をステップＳ２０９に進める。ステップＳ２０９では、ＣＰＵ２１は、保持部に保持された平面部にも画像を表示させるよう設定する。すなわち、本実施の形態では、ＣＰＵ２１は、現状の表示設定における第１平面部１０４ａに加えて第４平面部１０４ｇにも画像を表示するよう設定する（図１１（ｃ））。その後、ＣＰＵ２１は、処理をステップＳ２０８へ進める。ステップＳ２０７で、ＣＰＵ２１は、角度θｃが第４の角度θ４より大きくないと判別した場合は、処理をステップＳ２０８に進める。
【００８０】
ステップＳ２０８では、ＣＰＵ２１は、隣接する平面部の組のうち、表示面同士が成す角度が第３の角度θ３より大きくなる組があるか否かを判別する。本実施の形態では、第１平面部１０４ａと第２平面部１０４ｃとの組の表示面同士が角度θａを成し、第２平面部１０４ｃと第３平面部１０４ｅとの組の表示面同士が角度θｂを成す。第３平面部１０４ｅと第４平面部１０４ｇとの組の表示面同士が角度θｃを成す。ＣＰＵ２１は、角度θａ、θｂ、θｃの少なくともいずれかが第３の角度θ３より大きいと判別した場合は、処理をステップＳ２１１に進める。ＣＰＵ２１は、角度θａ、θｂ、θｃのいずれも第３の角度θ３より大きくないと判別した場合は、処理をステップＳ２１０に進める。
【００８１】
ステップＳ２１１では、ＣＰＵ２１は、図７のステップＳ１１１と同様の処理を実行する。例えば、θｃ＞θ３の場合は、ＣＰＵ２１は、第３平面部１０４ｅと第４平面部１０４ｇとに亘って画像を表示するよう設定する（図１１（ｄ））。θｂ＞θ３の場合は、ＣＰＵ２１は、第２平面部１０４ｃと第３平面部１０４ｅとに亘って画像を表示するよう設定する（図１１（ｅ））。θａ＞θ３の場合は、ＣＰＵ２１は、第１平面部１０４ａと第２平面部１０４ｃとに亘って画像を表示するよう設定する（図１１（ｆ））。なお、ステップＳ２０９を経たことで、現在の表示設定が第４平面部１０４ｇに画像を表示する設定となっていた場合は、その設定を維持してもよい。
【００８２】
なお、ＣＰＵ２１は、θｃ＞θ３、θｂ＞θ３が同時に成立する場合は、平面部１０４ｃ、１０４ｅ、１０４ｇに亘って画像を表示するよう設定してもよい。また、ＣＰＵ２１は、θｂ＞θ３、θａ＞θ３が同時に成立する場合は、平面部１０４ａ、１０４ｃ、１０４ｅに亘って画像を表示するよう設定してもよい。また、ＣＰＵ２１は、θａ＞θ３、θｃ＞θ３が同時に成立する場合は、全平面部に亘って画像を表示するよう設定してもよい。その後、ＣＰＵ２１は処理をステップＳ２１０に進める。なお、ＣＰＵ２１は、隣接する２つの平面部に亘って画像を表示する場合、これら２つの平面部間にある屈曲部にも画像を表示させてもよい。
【００８３】
ステップＳ２１０、Ｓ２１２〜Ｓ２１５の処理は、図７のステップＳ１１０、Ｓ１１２〜Ｓ１１５と同様である。ステップＳ２１５で、ＣＰＵ２１は、撮影操作がなされないと判別した場合は、処理をステップＳ２０１に戻す一方、撮影操作がなされたと判別した場合は、図１０の一連の処理を終了する。
【００８４】
ところで、図９に示す収納状態では、保持部から最も離れた第１平面部１０４ａが、−Ｚ方向視で外観に現れないため、第１平面部１０４ａに画像が表示されない。一方で、図９の状態では、第１平面部１０４ａが接着されている第１パネル１０１が、―Ｚ方向における外力に対して画面保護の役割を果たす。
【００８５】
本実施の形態によれば、機器の小型化及び画像閲覧性向上を両立させつつ電力消費を抑制することに関し、第１の実施の形態と同様の効果を奏することができる。
【００８６】
また、収納状態では、−Ｚ方向視で外観に現れない第１平面部１０４ａにも画像が表示されないので、電力消費の低減効果を高めることができる。
【００８７】
以上説明したように、本発明の適用に関し、画像を表示する平面部（表示部）の個数は複数あればよく個数は限定されない。従って、本発明は、平面部が５つ以上であっても適用可能であり、また、平面部が２つであっても適用可能である。
【００８８】
（第３の実施の形態）
本発明の第３の実施の形態では、画像を表示する平面部（表示部）が２つの表示装置を例にとって説明する。その他の構成は第２の実施の形態と同様である。
【００８９】
図１２は、本実施の形態の電子機器３００の模式的側面図である。電子機器３００は、カメラボディ１１２と表示装置３３０とを有する。表示装置３３０はディスプレイ３０４を有する。ディスプレイ３０４は、第３平面部１０４ｅ、第４平面部１０４ｇを有する。表示装置３３０は、パネルとしては、第３パネル１０５、第４パネル１０６を有する。第４パネル１０６の第２面が、不図示の両面テープによってカメラボディ１１２に固定されている。従って、保持部に保持された平面部には、第４平面部１０４ｇが該当する。保持部から最も遠い平面部には第３平面部１０４ｅが該当する。
【００９０】
本実施の形態では、角度θｃが第１の角度θ１より大きい状態が、表示装置３３０の「展開状態」である。角度θｃが第２の角度θ２より小さい状態が、表示装置３３０の「収納状態」である。収納状態、展開状態のいずれでもない状態が「途中状態」である。各角度θの定義及び例示値は第２の実施の形態と同じである。図１２では、角度θｃが第２の角度θ２より小さいので、表示装置３３０は収納状態である。
【００９１】
本実施の形態では、図１２に示す収納状態において、２つの平面部のいずれも閲覧性が低い。そこで、いずれの平面部にも画像が表示されない。すなわち、法線Ｇ方向における第４平面部１０４ｇの表示面の正面視において、保持部から最も遠い第３平面部１０４ｅの表示面が視認可能であることを条件としてもよい。本実施の形態ではこの条件を適用する。本実施の形態ではこの条件は満たされない。そのため、ＣＰＵ２１は、収納状態では第３平面部１０４ｅに画像が表示されないよう制御する。なぜなら、収納状態では第３平面部１０４ｅの背面に遮られ、第３平面部１０４ｅの閲覧性が低いからである。
【００９２】
図１３は、表示制御処理のフローチャートである。この処理の実行主体、実行条件、開始条件は、第２の実施の形態（図１０）と同様である。
【００９３】
ステップＳ３０１では、ＣＰＵ２１は、図１０のステップＳ２０１と同様の処理を実行する。ステップＳ３０２では、ＣＰＵ２１は、角度θｃが第２の角度θ２より小さい（θｃ＜θ２）か否かを判別する。その結果、ＣＰＵ２１は、角度θｃが第２の角度θ２より小さいと判別した場合は、表示装置３３０は収納状態であると判断して、処理をステップＳ３０４に進める。
【００９４】
ステップＳ３０４では、ＣＰＵ２１は、ステップＳ２０４と同様の処理を実行し、処理をステップＳ３１２に進める。なお、表示設定はＲＡＭ２２に記憶され、各ステップでの処理に従って逐次更新され得る。
【００９５】
ステップＳ３０２で、角度θｃが第２の角度θ２より小さくないと判別した場合は、ＣＰＵ２１は、処理をステップＳ３０３に進める。ステップＳ３０３では、ＣＰＵ２１は、角度θｃが第１の角度θ１より大きい（θｃ＞θ１）か否かを判別する。その結果、ＣＰＵ２１は、角度θｃが第１の角度θ１より大きいと判別した場合は、表示装置３３０は展開状態であると判断して、処理をステップＳ３０６に進める。ステップＳ３０６では、ＣＰＵ２１は、保持部にて保持されている第４平面部１０４ｇに画像を表示し、その他の平面部（第３平面部１０４ｅ）には画像を表示しないよう設定する。その後、ＣＰＵ２１は、処理をステップＳ３１０へ進める。
【００９６】
ステップＳ３０３で、角度θｃが第１の角度θ１より大きくないと判別した場合は、ＣＰＵ２１は、表示装置３３０は途中状態であると判断して、処理をステップＳ３０５に進める。ステップＳ３０５では、ＣＰＵ２１は、保持部から最も遠い第３平面部１０４ｅには画像を表示し他の平面部（第４平面部１０４ｇ）には画像を表示しないように設定する。その後、ＣＰＵ２１は、処理をステップＳ３０８へ進める。
【００９７】
ステップＳ３０８では、ＣＰＵ２１は、隣接する平面部の組のうち、表示面同士が成す角度が第３の角度θ３より大きくなる組があるか否かを判別する。本実施の形態では、第３平面部１０４ｅと第４平面部１０４ｇとの組の表示面同士が角度θｃを成す。ＣＰＵ２１は、角度θｃが第３の角度θ３より大きいと判別した場合は、処理をステップＳ３１１に進める。ＣＰＵ２１は、角度θｃが第３の角度θ３より大きくないと判別した場合は、処理をステップＳ３１０に進める。
【００９８】
ステップＳ３１１では、ＣＰＵ２１は、図１０のステップＳ２１１と同様の処理を実行する。従って、θｃ＞θ３の場合は、ＣＰＵ２１は、第３平面部１０４ｅと第４平面部１０４ｇとに亘って画像を表示するよう設定する。その後、ＣＰＵ２１は処理をステップＳ３１０に進める。
【００９９】
ステップＳ３１０、Ｓ３１２〜Ｓ３１５の処理は、図１０のステップＳ２１０、Ｓ２１２〜Ｓ２１５と同様である。ステップＳ３１５で、ＣＰＵ２１は、撮影操作がなされないと判別した場合は、処理をステップＳ３０１に戻す一方、撮影操作がなされたと判別した場合は、図１３の一連の処理を終了する。
【０１００】
本実施の形態によれば、機器の小型化及び画像閲覧性向上を両立させつつ電力消費を抑制することに関し、第２の実施の形態と同様の効果を奏することができる。
【０１０１】
また、収納状態では、−Ｚ方向視で外観に現れない第３平面部１０４ｅにも画像が表示されないので、電力消費の低減効果を高めることができる。
【０１０２】
（第４の実施の形態）
図１４は、第４の実施の形態の電子機器４００の模式的側面図である。電子機器４００は、カメラボディ１１２と表示装置４３０とを有する。表示装置４３０はディスプレイ４０４を有する。表示装置４３０は、パネルとしては、第３パネル１０５、第４パネル１０６を有する。ディスプレイ４０４は、第３平面部１０４ｅ、第４平面部１０４ｇに加えて第５平面部１０４ｚを有する。第３パネル１０５において、第３平面部１０４ｅの反対側に第５平面部１０４ｚを有する点が、第３の実施の形態と異なる。第４パネル１０６の第２面が、不図示の両面テープによってカメラボディ１１２に固定されている。従って、保持部に保持された平面部には、第４平面部１０４ｇが該当する。保持部から最も遠い平面部には第５平面部１０４ｚが該当する。
【０１０３】
本実施の形態では、角度θｃが第１の角度θ１より大きい状態が、表示装置４３０の「展開状態」である。角度θｃが第２の角度θ２より小さい状態が、表示装置４３０の「収納状態」である。収納状態、展開状態のいずれでもない状態が「途中状態」である。各角度θの定義及び例示値は第３の実施の形態と同じである。図１４では、角度θｃが第２の角度θ２より小さいので、表示装置４３０は収納状態である。
【０１０４】
収納状態においては、第５平面部１０４ｚにだけ画像が表示される。法線Ｇ方向における第４平面部１０４ｇの表示面の正面視において、保持部から最も遠い第５平面部１０４ｚの表示面が視認可能であることを条件としてもよい。本実施の形態ではこの条件を適用する。本実施の形態ではこの条件は満たされる。従って、ＣＰＵ２１は、第３の実施の形態とは異なり、収納状態では、保持部から最も遠い第３パネル１０５の第５平面部１０４ｚに画像を表示し、第３平面部１０４ｅ、第４平面部１０４ｇには画像を表示しないよう設定する。第５平面部１０４ｚに画像を表示するのは、第５平面部１０４ｚは−Ｚ方向視で外観に現れ、閲覧性が高いからである。
【０１０５】
展開状態では、第４平面部１０４ｇに画像が表示される。途中状態においては、第３平面部１０４ｅに画像が表示される。θｃ＞θ４である場合は、途中状態であっても第４平面部１０４ｇに画像が表示される。θｃ＞θ３である場合は、途中状態であっても第３平面部１０４ｅ及び第４平面部１０４ｇに画像が表示される。なお、ユーザ指示に基づく各平面部の表示制御は適用される。
【０１０６】
本実施の形態によれば、機器の小型化及び画像閲覧性向上を両立させつつ電力消費を抑制することに関し、第３の実施の形態と同様の効果を奏することができる。
【０１０７】
（第５の実施の形態）
図１５は、第５の実施の形態の電子機器５００の模式的側面図である。電子機器５００は、カメラボディ１１２と表示装置５３０とを有する。表示装置５３０はディスプレイ５０４、５０５、５０６を有する。本実施の形態では、第４の実施の形態に対し、第５パネル１０７が加わる。ただし、電子機器５００では、電子機器４００に対し、表示装置４３０の第３パネル１０５の回転軸ＡＸ２から自由端までの長さを短くしている。
【０１０８】
第４パネル１０６は、ヒンジ部１０６ａとは逆側の一辺の両端に、ヒンジ部１０６ｄを備えている。また、第５パネル１０７は、Ｘ軸と平行な一辺の両端にヒンジ部１０７ａを備えている。ヒンジ部１０７ａとヒンジ部１０６ａとは、Ｘ軸に平行な回転軸ＡＸ３を中心に回転可能に連結され。これにより、第４パネル１０６と第５パネル１０７とは、回転軸ＡＸ３を中心に相対的に回動可能である。ヒンジ部１０７ａとヒンジ部１０６ｄを合わせて「第４ヒンジ」と呼称する。第４パネル１０６を基準とした第５パネル１０７の回転方向を図中のθｄで示し、図１５ではθｃ＝θｄ＝２５°となっている。
【０１０９】
ディスプレイ５０４は、第３平面部１０４ｅ、第４平面部１０４ｇ、第６平面部１０４ｈと、各平面部間の不図示の屈曲部を含む。また、ディスプレイ５０５は第７平面部１０４ｉを含み、ディスプレイ５０６は第５平面部１０４ｚを含む。第４パネル１０６の第２面が、不図示の両面テープによってカメラボディ１１２に固定されている。従って、保持部に保持された平面部には、第４平面部１０４ｇが該当する。保持部から最も遠い平面部には第５平面部１０４ｚ及び第７平面部１０４ｉが該当する。
【０１１０】
本実施の形態では、角度θｃ、θｄが共に第１の角度θ１より大きい状態が、表示装置５３０の「展開状態」である。角度θｃ、θｄが共に第２の角度θ２より小さい状態が、表示装置５３０の「収納状態」である。収納状態、展開状態のいずれでもない状態が「途中状態」である。各角度θの定義及び例示値は第４の実施の形態と同じである。図１５では、角度θｃ、θｄが共に第２の角度θ２より小さいので、表示装置５３０は収納状態である。
【０１１１】
収納状態においては、保持部から最も遠い第５平面部１０４ｚ及び第７平面部１０４ｉにだけ画像が表示される。これは、平面部１０４ｅ、１０４ｇ、１０４ｈは第３パネル１０５に遮られて閲覧性が低いが、平面部１０４ｚ、１０４ｉは収納状態でも外部に現れていて閲覧性が高いからである。
【０１１２】
展開状態では、第４平面部１０４ｇに画像が表示される。なお、途中状態においては、ＣＰＵ２１は、第４パネル１０６と第５パネル１０７との関係を、第４の実施の形態（図１４）における第４パネル１０６と第３パネル１０５との関係と同一視して表示制御を行ってもよい。また、ＣＰＵ２１は、第４パネル１０６と第３パネル１０５との関係を、第４の実施の形態（図１４）における第４パネル１０６と第３パネル１０５との関係と同一視して表示制御を行ってもよい。
【０１１３】
あるいは、他の実施の形態とは異なり、ＣＰＵ２１は、角度θｃ、θｄ＜９０°の場合は平面部１０４ｚ、１０４ｉにだけ画像を表示させ、角度θｃ、θｄ≧９０°の場合は第４平面部１０４ｇにだけ画像を表示させてもよい。ただし、ユーザ指示に基づく各平面部の表示制御は適用される。
【０１１４】
本実施の形態によれば、機器の小型化及び画像閲覧性向上を両立させつつ電力消費を抑制することに関し、第４の実施の形態と同様の効果を奏することができる。
【０１１５】
なお、上記各実施の形態では、各パネルを駆動する各ヒンジの軸が互いに略平行な場合を例示した。しかし、各ヒンジの軸が交差するような表示装置に対しても同様の表示制御を適用可能である。
【０１１６】
また、上記各実施の形態では、それぞれが独立したパネルを複数連結した表示装置について説明したが、これに限定されるものではない。例えば、連結部を備えることなく、有機エレクトロルミネッセンス（有機ＥＬ）など、柔軟性を備えた素子で形成された表示装置（所謂フレキシブルディスプレイ）に本発明を適用してもよい。この場合、フレキシブルディスプレイの表示領域を複数に分け、分割された表示領域を前述した各実施の形態における各パネルに相当させて、各表示領域の表示制御を行う構成であればよい。
【０１１７】
なお、本発明は、表示機能を有する電子機器に適用可能であり、表示機能は内蔵に限らず、着脱可能な表示装置によって実現されてもよい。従って、電子機器は、撮像機能を備える撮像装置であってもよい。
【０１１８】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【０１１９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【０１２０】
２１  ＣＰＵ
１０４ａ、１０４ｃ、１０４ｅ、１０４ｇ、１０４ｈ、１０４ｉ、１０４ｚ  平面部
１１２  カメラボディ
１３０、２３０、３３０、４３０、５３０  表示装置
【図１】
2020016693.tif 000003
【図２】
2020016693.tif 000004
【図３】
2020016693.tif 000005
【図４】
2020016693.tif 000006
【図５】
2020016693.tif 000007
【図６】
2020016693.tif 000008
【図７】
2020016693.tif 000009
【図８】
2020016693.tif 000010
【図９】
2020016693.tif 000011
【図１０】
2020016693.tif 000012
【図１１】
2020016693.tif 000013
【図１２】
2020016693.tif 000014
【図１３】
2020016693.tif 000015
【図１４】
2020016693.tif 000016
【図１５】
2020016693.tif 000017